(57)【特許請求の範囲】
【請求項１】
光学系が取り付けられた鏡胴本体と、
前記鏡胴本体の後端部に取り付けられるマウント部材と、
前記鏡胴本体に装着されて前記鏡胴本体の外周を覆う、外周部に複数の操作リングを備える外装体であって、光軸の方向に沿ってスライドさせることにより、前記マウント部材が取り付けられた状態の前記鏡胴本体に対して脱着が可能な外装体と、
前記外装体を前記鏡胴本体に固定する第１締結部材と、
を備え、前記外装体は、前記光軸の方向に沿って前側の第１外装体と後側の第２外装体とに分離可能に構成され、前記第１外装体の外周部に複数の前記操作リングが備えられる、
交換レンズ。
【請求項２】
前記第１外装体と前記第２外装体との接続部がバヨネット構造を有する、
請求項１に記載の交換レンズ。
【請求項３】
最後尾に配置される前記操作リングの装着部がバヨネット構造を有する、
請求項１又は２に記載の交換レンズ。
【請求項４】
最後尾に配置される前記操作リングを前記光軸の方向に沿って付勢する付勢部材を更に備える、
請求項３に記載の交換レンズ。
【請求項５】
前記付勢部材が、最後尾に配置される前記操作リングのクリック機構を構成する、
請求項４に記載の交換レンズ。
【請求項６】
光学系が取り付けられた鏡胴本体と、
前記鏡胴本体の後端部に取り付けられるマウント部材と、
前記鏡胴本体に装着されて前記鏡胴本体の外周を覆う、外周部に操作リングを備える外装体であって、光軸の方向に沿ってスライドさせることにより、前記マウント部材が取り付けられた状態の前記鏡胴本体に対して脱着が可能な外装体と、
前記外装体を前記鏡胴本体に固定する第１締結部材と、
前記外装体の外周面上に備えられ、前記第１締結部材が収容される第１凹部と、
前記第１凹部の開口部を閉じる第１化粧部材と、
を備えた交換レンズ。
【請求項７】
前記外装体は、前記第１凹部内に通気部を有し、前記第１化粧部材が前記第１凹部の開口部を通気可能に閉じる、
請求項６に記載の交換レンズ。
【請求項８】
前記外装体を前記鏡胴本体に固定する第２締結部材と、
前記外装体の外周面上に備えられ、前記第２締結部材が収容される第２凹部と、
前記第２凹部の開口部を閉じる第２化粧部材と、
を更に備えた請求項６又は７に記載の交換レンズ。
【請求項９】
前記第１締結部材及び前記第２締結部材が、前記光軸に対して対称な位置で前記外装体を前記鏡胴本体に固定する、
請求項８に記載の交換レンズ。
【請求項１０】
前記第２化粧部材が、前記外装体に開閉可能に取り付けられ、
前記第２凹部を覆った状態で前記第２化粧部材をロックするロック機構と、
前記ロック機構による前記第２化粧部材のロックを解除するロック解除機構と、
を更に備えた請求項８又は９に記載の交換レンズ。
【請求項１１】
前記ロック解除機構によるロック解除の操作を行うロック解除操作部材が、前記第１凹部内に備えられる、
請求項１０に記載の交換レンズ。
【請求項１２】
光学系が取り付けられ、かつ、フランジ部を備えた鏡胴本体と、
前記鏡胴本体の後端部に取り付けられるマウント部材と、
前記鏡胴本体に装着されて前記鏡胴本体の外周を覆う、外周部に操作リングを備える外装体であって、前記鏡胴本体に対して前記マウント部材側から光軸の方向に沿ってスライドさせることにより、前記マウント部材が取り付けられた状態の前記鏡胴本体に対して脱着が可能であり、かつ、先端部が前記フランジ部に当接することにより、前記光軸の方向に位置決めされる外装体と、
前記外装体を前記鏡胴本体に固定する締結部材と、
を備えた交換レンズ。
【請求項１３】
前記締結部材は、前記外装体の先端部を前記フランジ部に固定して、前記外装体を前記鏡胴本体に固定する、
請求項１２に記載の交換レンズ。
【請求項１４】
前記鏡胴本体は、外周部に位置決め用凹部を有し、
前記外装体は、前記位置決め用凹部に嵌合する位置決め用凸部を内周部に有し、
前記位置決め用凹部に前記位置決め用凸部を嵌合させて、前記外装体を前記鏡胴本体に装着することにより、前記外装体が周方向に位置決めされる、
請求項１２又は１３に記載の交換レンズ。
【請求項１５】
前記外装体が前記鏡胴本体に装着されると、前記外装体の後端部の内周部に前記マウント部材の外周部が嵌合する、
請求項１２から１４のいずれか１項に記載の交換レンズ。
【請求項１６】
前記鏡胴本体は、前記光学系を調整する調整機構を有し、
前記調整機構は、前記外装体を外すことにより露出する、
請求項１２から１５のいずれか１項に記載の交換レンズ。
【発明の詳細な説明】
【技術分野】
【０００１】
本発明は、交換レンズに係り、特に分解可能な交換レンズに関する。
【背景技術】
【０００２】
レンズ交換式の光学機器において、交換レンズはマウントを介してボディーに接続される。交換レンズのマウントは、通常、鏡胴とは別部品で構成され、ねじを利用して、鏡胴に取り付けられる。【０００３】
従来の交換レンズは、マウントが、交換レンズの外装体と共締めされて、鏡胴に取り付けられる構造とされていた（たとえば、特許文献１等参照）。したがって、メンテナンス等で交換レンズを分解する場合は、必ずマウントも取り外される構造とされていた。
【先行技術文献】
【特許文献】
【０００４】
【特許文献１】特開2014-102416号公報
【発明の概要】
【発明が解決しようとする課題】
【０００５】
しかしながら、マウントが取り外されると、再度組み立てる際に、新たに位置調整を行ってマウントを取り付ける必要があり、組み立てに手間がかかるという欠点があった。また、マウントの脱着によって、レンズの倒れ等が生じ、光学性能が低下するおそれもあった。【０００６】
本発明は、このような事情に鑑みてなされたもので、分解及び組み立てが容易な交換レンズを提供することを目的とする。
【課題を解決するための手段】
【０００７】
上記課題を解決するための手段は、次のとおりである。【０００８】
（１）光学系が取り付けられた鏡胴本体と、鏡胴本体の後端部に取り付けられるマウント部材と、鏡胴本体に装着されて鏡胴本体の外周を覆う、外周部に複数の操作リングを備える外装体であって、光軸の方向に沿ってスライドさせることにより、マウント部材が取り付けられた状態の鏡胴本体に対して脱着が可能な外装体と、外装体を鏡胴本体に固定する第１締結部材と、を備えた交換レンズ。【０００９】
本態様によれば、外装体を光軸の方向に沿ってスライドさせることにより、マウント部材を鏡胴本体に取り付けたまま、外装体を鏡胴本体から取り外すことができる。これにより、マウント部材を取り付けたまま、鏡胴本体を取り出すことができる。また、マウント部材を取り付けたまま、鏡胴本体に対して、光学調整等を行うことができる。更に、分解して再度組み立てる場合も、マウント部材の位置調整等の必要がないので、容易に組み立てることができる。また、外装体の脱着に際して、レンズの倒れ等が生じるのも防止できる。【００１０】
また、本態様によれば、あらかじめ複数の操作リングが外装体に備えられており、外装体と共に脱着される。これにより、複数の操作リングをまとめて脱着でき、分解及び組み立ての作業性を向上できる。【００１１】
（２）外装体が鏡胴本体に装着されると、外装体の後端部の内周部にマウント部材の外周部が嵌合する、上記（１）の交換レンズ。【００１２】
本態様によれば、外装体が鏡胴本体に装着されると、外装体の後端部の内周部にマウント部材の外周部が嵌合する。これにより、外装体とマウント部材との間の気密性を確保でき、隙間から内部に塵埃等が進入するのを防止できる。【００１３】
（３）鏡胴本体は、光学系を調整する調整機構を有し、調整機構は、外装体を外すことにより露出する、上記（１）又は（２）の交換レンズ。【００１４】
本態様によれば、光学系を調整する調整機構が鏡胴本体に備えられる。調整機構は、外装体を外すことにより外部に露出する。したがって、この調整機構を用いて光学系を調整する場合は、外装体を取り外す必要がある。しかし、本態様の交換レンズは、鏡胴本体にマウント部材を取り付けたまま外装体を取り外すことができるので、マウント部材を取り付けたまま光学系を調整できる。これにより、調整後の良好な光学性能を維持したまま再組み立ての作業を行うことができる。【００１５】
（４）外装体は、光軸の方向に沿って前側の第１外装体と後側の第２外装体とに分離可能に構成され、第１外装体の外周部に複数の操作リングが備えられる、上記（１）から（３）のいずれか一の交換レンズ。【００１６】
本態様によれば、外装体が、光軸の方向に沿って前側の第１外装体と後側の第２外装体とに分離可能に構成される。複数の操作リングは、すべて第１外装体の外周部に備えられる。これにより、第１外装体の脱着によって、複数の操作リングをまとめて脱着できる。【００１７】
（５）第１外装体と第２外装体との接続部がバヨネット構造を有する、上記（４）の交換レンズ。【００１８】
本態様によれば、第１外装体と第２外装体との接続部がバヨネット構造を有する。すなわち、第１外装体と第２外装体とがバヨネット構造にて接続される。これにより、外装体を鏡胴本体に組み付ける際に、第２外装体を第１外装体に仮止めでき、組み立ての作業性を向上できる。【００１９】
（６）最後尾に配置される操作リングの装着部がバヨネット構造を有する、上記（４）又は（５）の交換レンズ。【００２０】
本態様によれば、最後尾に配置される操作リングの装着部がバヨネット構造を有する。すなわち、最後尾に配置される操作リングが、第１外装体にバヨネット構造で取り付けられる。これにより、外装体を組み立てる際に、最後尾に配置される操作リングを第１外装体に仮止めでき、組み立ての作業性を向上できる。【００２１】
（７）最後尾に配置される操作リングを光軸の方向に沿って付勢する付勢部材を更に備える、上記（６）の交換レンズ。【００２２】
本態様によれば、最後尾に配置される操作リングを光軸の方向に沿って付勢する付勢部材が備えられる。これにより、バヨネット構造により仮止めをより確実なものにすることができる。【００２３】
（８）付勢部材が、最後尾に配置される操作リングのクリック機構を構成する、上記（７）の交換レンズ。【００２４】
本態様によれば、付勢部材が、最後尾に配置される操作リングのクリック機構を構成する。これにより、既存の構成を流用して、付勢力を発生させることができる。【００２５】
（９）外装体の外周面上に備えられ、第１締結部材が収容される第１凹部と、第１凹部の開口部を閉じる第１化粧部材と、を更に備えた上記（１）から（８）のいずれか一の交換レンズ。【００２６】
本態様によれば、第１締結部材が凹部（第１凹部）に収容され、化粧部材（第１化粧部材）で覆い隠される。これにより、不用意に分解されるのを防止できる。その一方で外観上の美観も向上できる。【００２７】
（１０）外装体は、第１凹部内に通気部を有し、第１化粧部材が第１凹部の開口部を通気可能に閉じる、上記（９）の交換レンズ。【００２８】
本態様によれば、第１締結部材が収容される凹部（第１凹部）に通気部が備えられる。すなわち、凹部（第１凹部）が、通気部と兼用される。これにより、既存の構成を流用して、第１締結部材を覆い隠すことができる。【００２９】
（１１）外装体を鏡胴本体に固定する第２締結部材と、外装体の外周面上に備えられ、第２締結部材が収容される第２凹部と、第２凹部の開口部を閉じる第２化粧部材と、を更に備えた上記（９）又は（１０）の交換レンズ。【００３０】
本態様によれば、外装体を鏡胴本体に固定する部材として、第１締結部材に加えて第２締結部材が備えられる。これにより、外装体の固定をより確実にできる。また、第２締結部材は、第１締結部材と同様に凹部（第２凹部）に収容され、化粧部材（第２化粧部材）で覆い隠される。これにより、不用意に分解されるのを防止できる。その一方で外観上の美観も向上できる。【００３１】
（１２）第１締結部材及び第２締結部材が、光軸に対して対称な位置で外装体を鏡胴本体に固定する、上記（１１）の交換レンズ。【００３２】
本態様によれば、第１締結部材及び第２締結部材が、光軸に対して対称な位置で外装体を鏡胴本体に固定する。これにより、外装体を鏡胴本体に対して、安定して固定できる。【００３３】
（１３）第２化粧部材が、外装体に開閉可能に取り付けられ、第２凹部を覆った状態で第２化粧部材をロックするロック機構と、ロック機構による第２化粧部材のロックを解除するロック解除機構と、を更に備えた上記（１１）又は（１２）の交換レンズ。【００３４】
本態様によれば、第２化粧部材が、外装体に開閉可能に取り付けられる。加えて、第２凹部を覆った状態で第２化粧部材をロックするロック機構と、ロック機構による第２化粧部材のロックを解除するロック解除機構と、が備えられる。これにより、第２化粧部材の繰り返しの利用が可能になる。また、紛失も防止できる。【００３５】
（１４）ロック解除機構によるロック解除の操作を行うロック解除操作部材が、第１凹部内に備えられる、上記（１３）の交換レンズ。【００３６】
本態様によれば、ロック解除機構によるロック解除の操作を行うロック解除操作部材が、第１凹部内に備えられる。これにより、第２化粧部材が容易に開閉されるのを防止できる。
【発明の効果】
【００３７】
本発明によれば、分解及び組み立てが容易な交換レンズを提供できる。
【図面の簡単な説明】
【００３８】
【図１】交換レンズの外観構成を示す側面図
【図２】図１に示した交換レンズの背面図
【図３】図１に示した交換レンズの内部の概略構成を示す側面断面図
【図４】鏡胴本体の概略構成を示す側面断面図
【図５】マウントの取り付け構造を示す図
【図６】ズーム操作した場合の各レンズ群の移動状態を示す図
【図７】図４の７−７断面図
【図８】外装体の構成を示す側面断面図
【図９】絞りリング及びリアカバーの取り付け構造を示す図
【図１０】ベースプレートの正面図
【図１１】図３の１１−１１断面図
【図１２】交換レンズの電気的構成を示すブロック図
【図１３】交換レンズの分解図
【図１４】外装体の固定構造の第１変形例を示す断面図
【図１５】図１４の１５−１５断面図
【図１６】外装体の固定構造の第２変形例を示す断面図
【図１７】図１６の１７−１７断面図
【図１８】交換レンズの外観構成を示す側面図
【図１９】外装体の固定構造の第３変形例を示す断面図
【図２０】開閉機構の概略構成を示す図
【図２１】操作リングを２つ備えた外装体の一例を示す側面断面図
【発明を実施するための形態】
【００３９】
以下、添付図面に従って本発明を実施するための好ましい形態について詳説する。
【００４０】
［交換レンズの構成］
ここでは、本発明をレンズ交換式カメラの交換レンズに適用した場合を例に説明する。
【００４１】
図１は、交換レンズの外観構成を示す側面図である。図２は、図１に示した交換レンズの背面図である。図３は、図１に示した交換レンズの内部の概略構成を示す側面断面図である。
【００４２】
本実施の形態の交換レンズ１は、いわゆるズームレンズであり、その外周部に備えられたズームリング２を回転操作することにより、焦点距離が連続的に変化する。また、本実施の形態の交換レンズ１は、マニュアルフォーカスの機能を有し、その外周部に備えられたフォーカスリング３を回転操作することにより、マニュアルで焦点調節が可能とされている。更に、本実施の形態の交換レンズ１は、絞り値（Ｆ値）の設定機能を有し、その外周部に備えられた絞りリング４を回転操作することにより、マニュアルで絞り値（Ｆ値）の設定が可能とされている。ズームリング２、フォーカスリング３及び絞りリング４は、複数の操作リングの一例である。
【００４３】
交換レンズ１は、主として、レンズが組み付けられた鏡胴本体１０と、鏡胴本体１０の外周を覆う外装体１００と、で構成される。
【００４４】
《鏡胴本体》
図４は、鏡胴本体の概略構成を示す側面断面図である。
【００４５】
同図に示すように、鏡胴本体１０は、固定筒１２及びカム筒１４を有する。カム筒１４は、固定筒１２の内周部に嵌合されて、固定筒１２の内周部を周方向に回転自在に保持される。
【００４６】
固定筒１２は、その後端部（像面側の端部）にマウント１６を有する。マウント１６は、マウント部材の一例であり、いわゆるバヨネットマウントで構成される。マウント１６は、複数のマウント固定用ねじ１８によって、固定筒１２の後端部に取り付けられる。
【００４７】
図５は、マウントの取り付け構造を示す図である。
【００４８】
固定筒１２は、その後端部の端面の複数箇所にマウント固定用ねじ穴１２Ｄを有する。各マウント固定用ねじ穴１２Ｄは、周方向に一定の間隔で配置される。
【００４９】
マウント１６は、そのフランジ部１６Ａの複数箇所にマウント固定用穴１６Ｃを有する。マウント固定用穴１６Ｃは、マウント固定用ねじ穴１２Ｄと同じ間隔で配置される。
【００５０】
マウント１６は、マウント固定用ねじ１８をマウント固定用穴１６Ｃに通して、マウント固定用ねじ穴１２Ｄに螺合させることにより、固定筒１２の後端部に一体的に取り付けられる。
【００５１】
図４に示すように、固定筒１２は、後端部が最も外径の小さな部位として構成される。マウント１６は、その外径が、固定筒１２の後端部の外径以下とされる。より具体的には、最も外径の大きなフランジ部１６Ａの外径が、固定筒１２の後端部の外径以下とされる。本実施の形態では、フランジ部１６Ａの外径が、固定筒１２の後端部の外径と同じ外径で構成されている。
【００５２】
〈レンズ構成〉
固定筒１２の内部には、複数のレンズが配置される。具体的には、光軸Ｚに沿って、物体側から順に、第１レンズ群Ｇ１、第２レンズ群Ｇ２、第３レンズ群Ｇ３、第４レンズ群Ｇ４及び第５レンズ群Ｇ５が配置される。各レンズ群は、少なくとも１枚のレンズで構成される。
【００５３】
また、固定筒１２の内部には、絞りＳｔが配置される。絞りＳｔは、第１レンズ群Ｇ１と第２レンズ群Ｇ２との間に配置される。
【００５４】
図６は、ズーム操作した場合の各レンズ群の移動状態を示す図である。同図において、（Ａ）は、広角端でのレンズ配置を示しており、Ａ（Ｂ）は、望遠端でのレンズ配置を示している。
【００５５】
同図に示すように、第１レンズ群Ｇ１から第４レンズ群Ｇ４は、ズーム操作により、像面Ｓｉｍに対して移動するレンズ群である。第５レンズ群Ｇ５は、ズーム操作により、像面Ｓｉｍに対して固定のレンズ群である。第１レンズ群Ｇ１は、ズーム操作により移動軌跡ＡＬ１に沿って移動し、第２レンズ群Ｇ２は、ズーム操作により移動軌跡ＡＬ２に沿って移動する。また、第３レンズ群Ｇ３は、ズーム操作により移動軌跡ＡＬ３に沿って移動し、第４レンズ群Ｇ４は、ズーム操作により移動軌跡ＡＬ４に沿って移動する。絞りＳｔは、第２レンズ群Ｇ２と一体的に移動する。
【００５６】
図６に示すように、第３レンズ群Ｇ３は、第３レンズ群前群Ｇ３ａ及び第３レンズ群後群Ｇ３ｂで構成される。第３レンズ群前群Ｇ３ａは、像面湾曲補正用のレンズ群である。第３レンズ群前群Ｇ３ａは、他のレンズ群とは独立して移動可能なレンズ群である。像面湾曲を補正する場合は、この第３レンズ群前群Ｇ３ａを光軸Ｚに沿って移動させる。
【００５７】
また、第４レンズ群Ｇ４は、焦点調節用のレンズ群である。第４レンズ群Ｇ４は、他のレンズ群とは独立して移動可能なレンズ群である。焦点調節する場合は、この第４レンズ群Ｇ４を光軸Ｚに沿って移動させる。
【００５８】
〈各レンズ群の保持構造〉
〔第１レンズ群〕
図４に示すように、第１レンズ群Ｇ１は、第１レンズ群保持枠２０に保持されて、固定筒１２内に配置される。
【００５９】
第１レンズ群保持枠２０には、その外周部に３本の第１レンズ群駆動用カムピン３２が備えられる。３本の第１レンズ群駆動用カムピン３２は、周方向に等間隔に配置される。各第１レンズ群駆動用カムピン３２は、それぞれカム筒１４に備えられた第１レンズ群駆動用カム溝１４Ａ及び固定筒１２に備えられた第１レンズ群駆動用直進溝に嵌合される。
【００６０】
以上の構成により、固定筒１２内に第１レンズ群Ｇ１が保持される。また、カム筒１４を回転させると、第１レンズ群Ｇ１が、固定筒１２内を光軸Ｚに沿って移動する。
【００６１】
〔第２レンズ群〕
図４に示すように、第２レンズ群Ｇ２は、第２レンズ群保持枠２２に保持されて、固定筒１２内に配置される。
【００６２】
第２レンズ群保持枠２２には、その外周部に３本の第２レンズ群駆動用カムピン３４が備えられる。３本の第２レンズ群駆動用カムピン３４は、周方向に等間隔に配置される。各第２レンズ群駆動用カムピン３４は、それぞれカム筒１４に備えられた第２レンズ群駆動用カム溝１４Ｂ及び固定筒１２に備えられた第２レンズ群駆動用直進溝に嵌合される。なお、図４においては、便宜上、第２レンズ群駆動用直進溝及び第１レンズ群Ｇ１駆動用直進溝を同じ溝で表わしている。
【００６３】
以上の構成により、固定筒１２内に第２レンズ群Ｇ２が保持される。また、カム筒１４を回転させると、第２レンズ群Ｇ２が、固定筒１２内を光軸Ｚに沿って移動する。
【００６４】
なお、図４に示すように、第２レンズ群保持枠２２には、絞りＳｔを構成する絞りユニット３０が組み付けられる。これにより、絞りＳｔが、固定筒１２内に配置され、かつ、第２レンズ群Ｇ２と共に移動する。
【００６５】
〔第３レンズ群〕
図４に示すように、第３レンズ群Ｇ３は、第３レンズ群保持枠２４に保持されて、固定筒１２内に配置される。
【００６６】
第３レンズ群保持枠２４は、第３レンズ群ベース保持枠２４Ａと、その第３レンズ群ベース保持枠２４Ａの内周部に保持された第３レンズ群後群保持枠２４Ｂと、第３レンズ群後群保持枠２４Ｂの内周部に保持された第３レンズ群前群保持枠２４Ｃと、で構成される。第３レンズ群後群保持枠２４Ｂは、第３レンズ群ベース保持枠２４Ａの内周部を光軸Ｚと直交する方向に移動可能に保持される。第３レンズ群前群保持枠２４Ｃは、第３レンズ群後群保持枠２４Ｂの内周部を光軸Ｚに沿って移動可能に保持される。第３レンズ群前群Ｇ３ａは、第３レンズ群前群保持枠２４Ｃに保持される。第３レンズ群後群Ｇ３ｂは、第３レンズ群後群保持枠２４Ｂに保持される。
【００６７】
図７は、図４の７−７断面図である。
【００６８】
図７に示すように、第３レンズ群ベース保持枠２４Ａには、その外周部に３本の第３レンズ群駆動用カムピン３６が備えられる。３本の第３レンズ群駆動用カムピン３６は、周方向に等間隔に配置される。各第３レンズ群駆動用カムピン３６は、それぞれカム筒１４に備えられた第３レンズ群駆動用カム溝１４Ｃ及び固定筒１２に備えられた第３レンズ群駆動用直進溝１２Ｃに嵌合される。
【００６９】
第３レンズ群後群保持枠２４Ｂには、その外周部に３本の保持ピン４０が備えられる。３本の保持ピン４０は、周方向に等間隔に配置される。各保持ピン４０は、それぞれ第３レンズ群ベース保持枠２４Ａに備えられたピン穴４２に嵌合される。ピン穴４２は、周方向に沿って延びる長穴で構成される。これにより、第３レンズ群後群保持枠２４Ｂが、第３レンズ群ベース保持枠２４Ａの内周部を光軸Ｚと直交する方向に移動可能に保持される。
【００７０】
更に、第３レンズ群後群保持枠２４Ｂには、その外周部に２本の光軸調整ピン４４Ｘ、４４Ｙが備えられる。２本の光軸調整ピン４４Ｘ、４４Ｙは、周方向に９０°の間隔で配置される。各光軸調整ピン４４Ｘ、４４Ｙは、第３レンズ群後群保持枠２４Ｂに対して径方向にスライド自在に保持される。また、各光軸調整ピン４４Ｘ、４４Ｙには、先端にフランジ部４４Ｘａ、４４Ｙａが備えられる。更に、各光軸調整ピン４４Ｘ、４４Ｙには、頂部にプラスドライバー等の工具で回転可能なねじ部４４Ｘｂ、４４Ｙｂが備えられる。各ねじ部４４Ｘｂ、４４Ｙｂは、それぞれ第３レンズ群ベース保持枠２４Ａに備えられたねじ穴４６Ｘ、４６Ｙに螺合される。これにより、各光軸調整ピン４４Ｘ、４４Ｙを回転させると、第３レンズ群後群保持枠２４Ｂが、第３レンズ群ベース保持枠２４Ａに対して、光軸Ｚと直交する面内で押し引きされ、その位置が調整される。固定筒１２及びカム筒１４には、それぞれ光軸調整ピン４４Ｘ、４４Ｙの配置位置に対応して、貫通穴１２Ｘ、１２Ｙ、１４Ｘ、１４Ｙが備えられる。これにより、貫通穴１２Ｘ、１２Ｙ、１４Ｘ、１４Ｙを介して、各光軸調整ピン４４Ｘ、４４Ｙにアクセスできる。なお、この貫通穴１２Ｘ、１２Ｙ、１４Ｘ、１４Ｙは、鏡胴本体１０に外装体１００を装着することにより、外装体１００で覆われる。したがって、光軸の調整機構は、鏡胴本体１０から外装体１００を外すことで初めて露出し、その調整が可能となる。第３レンズ群ベース保持枠２４Ａと第３レンズ群後群保持枠２４Ｂとの間の保持機構は、光学系の調整機構の一例である。
【００７１】
第３レンズ群後群保持枠２４Ｂの内周部には、主軸４８及び副軸５０が備えられる。主軸４８及び副軸５０は、光軸Ｚを挟んで互いに対向する位置に配置（周方向に１８０°の間隔で配置）され、かつ、それぞれ光軸Ｚに沿って配置される。
【００７２】
第３レンズ群前群保持枠２４Ｃは、主ガイド部５２及び副ガイド部５４を介して、第３レンズ群後群保持枠２４Ｂに備えられた主軸４８及び副軸５０にスライド自在に保持される。これにより、第３レンズ群前群保持枠２４Ｃが、第３レンズ群後群保持枠２４Ｂの内周部を光軸Ｚに沿って移動自在に保持される。
【００７３】
第３レンズ群前群保持枠２４Ｃは、第１モータ５６に駆動されて、第３レンズ群後群保持枠２４Ｂの内周部を光軸Ｚに沿って移動する。第１モータ５６は、ムービングマグネット型のボイスコイルモータで構成される。第３レンズ群前群保持枠２４Ｃには、この第１モータ５６を構成するボイスコイルモータの複数のマグネット５６Ａ及び複数のインナーヨーク５６Ｂが備えられる。また、第３レンズ群後群保持枠２４Ｂには、第１モータ５６を構成するボイスコイルモータのコイル５６Ｃ及び複数のアウターヨーク５６Ｄが備えられる。
【００７４】
以上の構成により、固定筒１２内に第３レンズ群Ｇ３が保持される。また、カム筒１４を回転させると、第３レンズ群Ｇ３が、固定筒１２内を光軸Ｚに沿って移動する（第３レンズ群前群Ｇ３ａ及び第３レンズ群後群Ｇ３ｂが、一体となって固定筒１２内を光軸Ｚに沿って移動する。）。更に、第１モータ５６を駆動すると、第３レンズ群前群Ｇ３ａが、単独で光軸Ｚに沿って移動する（第３レンズ群前群Ｇ３ａが、独立して光軸Ｚに沿って移動する。）。第３レンズ群前群Ｇ３ａを独立して移動させることにより、像面湾曲の補正が行われる。
【００７５】
また、光軸調整ピン４４Ｘ、４４Ｙを回転させると、第３レンズ群Ｇ３が、光軸Ｚと直交する面内で移動する（第３レンズ群前群Ｇ３ａ及び第３レンズ群後群Ｇ３ｂが、一体となって光軸Ｚと直交する面内を移動する。）。
【００７６】
〔第４レンズ群〕
図４に示すように、第４レンズ群Ｇ４は、第４レンズ群保持枠２６に保持されて、固定筒１２内に配置される。第４レンズ群保持枠２６は、第４レンズ群ベース保持枠２６Ａと、その第４レンズ群ベース保持枠２６Ａの内周部に保持された第４レンズ群可動保持枠２６Ｂと、で構成される。第４レンズ群可動保持枠２６Ｂは、第４レンズ群ベース保持枠２６Ａの内周部を光軸Ｚに沿って移動自在に保持される。第４レンズ群Ｇ４は、第４レンズ群可動保持枠２６Ｂの内周部に保持される。
【００７７】
第４レンズ群ベース保持枠２６Ａには、その外周部に３本の第４レンズ群駆動用カムピン３８が備えられる。３本の第４レンズ群駆動用カムピン３８は、周方向に等間隔に配置される。各第４レンズ群駆動用カムピン３８は、それぞれカム筒１４に備えられた第４レンズ群駆動用カム溝１４Ｄ及び固定筒１２に備えられた第４レンズ群駆動用直進溝に嵌合される。なお、図４においては、便宜上、第４レンズ群駆動用直進溝及び第１レンズ群Ｇ１駆動用直進溝を同じ溝で表わしている。
【００７８】
また、第４レンズ群ベース保持枠２６Ａには、その内周部に図示しない主軸及び副軸が備えられる。主軸及び副軸は、光軸Ｚに沿って配置される。
【００７９】
第４レンズ群可動保持枠２６Ｂは、図示しない主ガイド部及び副ガイド部を介して、第４レンズ群ベース保持枠２６Ａに備えられた主軸及び副軸にスライド自在に保持される。これにより、第４レンズ群可動保持枠２６Ｂが、第４レンズ群ベース保持枠２６Ａの内周部を光軸Ｚに沿って移動自在に保持される。
【００８０】
第４レンズ群可動保持枠２６Ｂは、フォーカスモータである第２モータ５８に駆動されて、第４レンズ群ベース保持枠２６Ａの内周部を光軸Ｚに沿って移動する。第２モータ５８は、ムービングコイル型のボイスコイルモータで構成される。第４レンズ群可動保持枠２６Ｂには、この第２モータ５８を構成するボイスコイルモータの複数のコイル５８Ａが備えられる。また、第４レンズ群ベース保持枠２６Ａには、第２モータ５８を構成する複数のマグネット５８Ｂ、複数のインナーヨーク５８Ｃ及び複数のアウターヨーク５８Ｄが備えられる。
【００８１】
以上の構成により、固定筒１２内に第４レンズ群Ｇ４が保持される。また、カム筒１４を回転させると、第４レンズ群Ｇ４が、固定筒１２内を光軸Ｚに沿って移動する。更に、第２モータ５８を駆動すると、第４レンズ群Ｇ４が独立して光軸Ｚに沿って移動する。第４レンズ群Ｇ４を独立して移動させることにより、焦点調節が行われる。
【００８２】
〔第５レンズ群〕
図４に示すように、第５レンズ群Ｇ５は、第５レンズ群保持枠２８に保持されて、固定筒１２内に配置される。第５レンズ群保持枠２８は、複数の第５レンズ群固定用ねじ６０によって、固定筒１２に取り付けられる。
【００８３】
〈各レンズ群の動作〉
鏡胴本体１０は、以上のように構成される。
【００８４】
鏡胴本体１０は、カム筒１４を回転させると、第１レンズ群Ｇ１、第２レンズ群Ｇ２、第３レンズ群Ｇ３及び第４レンズ群Ｇ４が、光軸Ｚに沿って移動する。これにより、ズームが行われる。
【００８５】
また、鏡胴本体１０は、第１モータ５６を駆動することにより、第３レンズ群前群Ｇ３ａが、光軸Ｚに沿って独立して移動する。交換レンズ１は、この第３レンズ群前群Ｇ３ａを独立して移動させることにより、像面湾曲の補正が行われる。
【００８６】
更に、第２モータ５８を駆動することにより、第４レンズ群Ｇ４が、光軸Ｚに沿って独立して移動する。交換レンズ１は、この第４レンズ群Ｇ４を独立して移動させることにより、焦点の調節が行われる。
【００８７】
また、鏡胴本体１０は、光軸調整ピン４４Ｘ、４４Ｙを回転させることにより、第３レンズ群Ｇ３が光軸と直交する面内で移動する。これにより、光軸Ｚの調整が行われる。
【００８８】
《外装体》
図８は、外装体の構成を示す側面断面図である。
【００８９】
同図に示すように、外装体１００は、円筒状の外装体本体１１０と、その外装体本体１１０の外周部に組み付けられるフォーカスリング３、ズームリング２及び絞りリング４と、で構成される。
【００９０】
外装体本体１１０は、前側の外装体ベース１１２と、後側のリアカバー１１４とに分離可能に構成される。外装体ベース１１２は第１外装体の一例であり、リアカバー１１４は第２外装体の一例である。フォーカスリング３、ズームリング２及び絞りリング４は、外装体ベース１１２の外周部に備えられる。
【００９１】
〈外装体ベース〉
外装体ベース１１２は、第１外装体ベース１１２Ａ及び第２外装体ベース１１２Ｂで構成される。第１外装体ベース１１２Ａ及び第２外装体ベース１１２Ｂは、共に円筒形状を有し、第１外装体ベース１１２Ａの後端部に第２外装体ベース１１２Ｂの先端部を接合することにより一体化されて、外装体ベース１１２を構成する。
【００９２】
第１外装体ベース１１２Ａの外周部には、フォーカスリング３及びスペーサ１１６が嵌められる。また、第２外装体ベース１１２Ｂの外周部には、前側にズームリング２が嵌められ、後側に絞りリング４が嵌められる。第１外装体ベース１１２Ａの外周部にフォーカスリング３及びスペーサ１１６を嵌め、かつ、第２外装体ベース１１２Ｂの外周部にズームリング２を嵌めた後、第１外装体ベース１１２Ａ及び第２外装体ベース１１２Ｂを接合することにより、フォーカスリング３及びズームリング２が、外装体ベース１１２に組み付けられる。外装体ベース１１２に組み付けられたフォーカスリング３及びズームリング２は、それぞれ光軸方向の移動が規制された状態で回転自在に支持される。
【００９３】
絞りリング４の装着部は、バヨネット構造を有する。絞りリング４は、最後尾に配置される操作リングであり、バヨネット構造によって第２外装体ベース１１２Ｂに取り付けられる。
【００９４】
図９は、絞りリング及びリアカバーの取り付け構造を示す図である。
【００９５】
同図に示すように、第２外装体ベース１１２Ｂの外周面には、バヨネット構造を構成する絞りリング保持溝１２０が備えられる。一方、絞りリング４の内周部には、バヨネット構造を構成する絞りリング保持爪１２２が備えられる。
【００９６】
絞りリング保持溝１２０は、光軸方向に沿って延びる縦溝１２０Ａと、周方向に沿って延びる横溝１２０Ｂと、で構成される。縦溝１２０Ａは、先端部で横溝１２０Ｂと繋がり、後端部は第２外装体ベース１１２Ｂの後端面に開口する。開口部は、絞りリング保持溝１２０の入口部１２０Ｃとして構成される。横溝１２０Ｂは、絞りリング４の回転操作の範囲に対応した長さで構成される。
【００９７】
絞りリング保持爪１２２は、矩形状の突起として、絞りリング４の内周部から突出して設けられる。絞りリング保持爪１２２の横幅（周方向の幅）は、縦溝１２０Ａの幅（周方向の幅）に対応した長さを有し、絞りリング保持爪１２２の縦幅（光軸方向の幅）は、横溝１２０Ｂの幅（光軸方向の幅）に対応した長さを有する。また、絞りリング保持爪１２２の高さは、絞りリング保持溝１２０の深さを同じ長さを有する。
【００９８】
絞りリング４を第２外装体ベース１１２Ｂに装着する場合は、まず、絞りリング保持爪１２２の位置を絞りリング保持溝１２０の入口部１２０Ｃの位置に合わせ、縦溝１２０Ａに絞りリング保持爪１２２を嵌合させる。その後、絞りリング４を光軸に沿って前方にスライドさせ、絞りリング４の前端が第２外装体ベース１１２Ｂに当接したところで、絞りリング４を周方向に回転させる。これにより、絞りリング保持爪１２２が横溝１２０Ｂに入り込む。絞りリング保持爪１２２が横溝１２０Ｂに入り込むことにより、絞りリング４の光軸方向の移動が規制され、絞りリング４が第２外装体ベース１１２Ｂの外周部に保持される。
【００９９】
なお、絞りリング４には、クリック機構が備えられ、このクリック機構を構成するバネの付勢力を利用して、光軸方向に付勢される。これにより、絞りリング４を第２外装体ベース１１２Ｂに装着した際、絞りリング保持爪１２２が横溝１２０Ｂの内壁面に押圧当接され、絞りリング４が第２外装体ベース１１２Ｂに対して、安定して保持される。
【０１００】
クリック機構は、第２外装体ベース１１２Ｂに備えられるリング状のベースプレート１３０と、絞りリング４に備えられるリング状の回転ホイール１３２と、回転ホイール１３２に備えられるクリック用ボール１３４と、クリック用ボール１３４を付勢するボール付勢バネ１３６と、で構成される。
【０１０１】
図１０は、ベースプレートの正面図である。
【０１０２】
ベースプレート１３０は、第２外装体ベース１１２Ｂに固定して取り付けられる。ベースプレート１３０は、その端面に複数の凹部１３０Ａを有する。各凹部１３０Ａは、クリック用ボール１３４が嵌合可能な半球形状を有し、周方向に一定の間隔で配置される。
【０１０３】
回転ホイール１３２は、絞りリング４の内周部に固定して取り付けられる。したがって、絞りリング４が第２外装体ベース１１２Ｂに取り付けられると、絞りリング４と共に回転する。
【０１０４】
回転ホイール１３２には、図８及び図９に示すように、クリック用ボール１３４及びボール付勢バネ１３６が収容される凹部１３２Ａが備えられる。凹部１３２Ａは、光軸方向に沿って延びる穴で構成される。クリック用ボール１３４及びボール付勢バネ１３６は、この凹部１３２Ａに収容されて、凹部１３２Ａの開口部から出没自在に設けられる。
【０１０５】
以上のように構成されるクリック機構は、絞りリング４が、第２外装体ベース１１２Ｂに取り付けられると、クリック用ボール１３４が、ボール付勢バネ１３６の付勢力でベースプレート１３０の端面に押圧当接される。絞りリング４を回転させると、所定位置でクリック用ボール１３４がベースプレート１３０に備えられた凹部１３０Ａに嵌合する。これにより、絞りリング４が一定位置に保持される。
【０１０６】
また、上記のように、このクリック機構を有することにより、絞りリング４を第２外装体ベース１１２Ｂに装着した際、ボール付勢バネ１３６の付勢力によって、絞りリング４が第２外装体ベース１１２Ｂに対して、安定して保持される。ボール付勢バネ１３６は、付勢部材の一例である。
【０１０７】
〈リアカバー〉
リアカバー１１４は、後端部に向かって径が段階的に縮小する形状を有する。リアカバー１１４の後端部は、鏡胴本体１０の後端部の外径に対応した内径を有する。図４に示すように、リアカバー１１４が、鏡胴本体１０に装着されると、リアカバー１１４の後端部の内周部にマウント１６のフランジ部１６Ａが嵌合する。
【０１０８】
リアカバー１１４と第２外装体ベース１１２Ｂとの接続部は、バヨネット構造を有する。リアカバー１１４は、バヨネット構造によって、第２外装体ベース１１２Ｂに取り付けられる。
【０１０９】
図９に示すように、第２外装体ベース１１２Ｂの外周面には、バヨネット構造を構成するリアカバー保持溝１４０が備えられる。一方、リアカバー１１４の内周部には、バヨネット構造を構成するリアカバー保持爪１４２が備えられる。
【０１１０】
リアカバー保持溝１４０は、光軸方向に沿って延びる縦溝１２０Ａと、周方向に沿って延びる横溝１４０Ｂと、で構成される。縦溝１２０Ａは、絞りリング４におけるバヨネット構造の縦溝と共用される。
【０１１１】
リアカバー保持爪１４２は、矩形状の突起として、リアカバー１１４の内周部から突出して設けられる。リアカバー保持爪１４２の横幅（周方向の幅）は、縦溝１２０Ａの幅（周方向の幅）に対応した長さを有し、リアカバー保持爪１４２の縦幅（光軸方向の幅）は、横溝１４０Ｂの幅（光軸方向の幅）に対応した長さを有する。また、リアカバー保持爪１４２の高さは、絞りリング保持溝１２０の深さを同じ長さを有する。
【０１１２】
リアカバー１１４を第２外装体ベース１１２Ｂに取り付ける場合は、まず、リアカバー保持爪１４２の位置をリアカバー保持溝１４０の入口部１２０Ｃの位置に合わせ、縦溝１２０Ａにリアカバー保持爪１４２を嵌合させる。その後、リアカバー１１４を光軸に沿って前方にスライドさせ、リアカバー１１４の前端が第２外装体ベース１１２Ｂに当接したところで、リアカバー１１４を周方向に回転させる。これにより、リアカバー保持爪１４２が横溝１４０Ｂに入り込む。リアカバー保持爪１４２が横溝１４０Ｂに入り込むことにより、リアカバー１１４の光軸方向の移動が規制され、リアカバー１１４が第２外装体ベース１１２Ｂの外周部に保持される。
【０１１３】
《外装体の取り付け構造》
外装体１００は、外装体本体１１０にフォーカスリング３、ズームリング２及び絞りリング４を組み付けて一体化させた後、鏡胴本体１０に装着する。外装体１００の装着は、外装体１００を鏡胴本体１０の後側から光軸に沿ってスライドさせることにより行われる。
【０１１４】
なお、マウント１６は、そのフランジ部１６Ａが外装体１００の後端部の外径と同じ外径を有することから、鏡胴本体１０に取り付けたまま外装体１００を脱着できる。
【０１１５】
〈外装体の位置決めの構造〉
図３に示すように、鏡胴本体１０は、その固定筒１２の先端部（物体側の端部）にフランジ部１２Ａを有する。外装体１００は、その外装体ベース１１２の先端部が、フランジ部１２Ａに当接することにより、光軸方向の位置決めが行われる。
【０１１６】
図１１は、図３の１１−１１断面図である。
【０１１７】
同図に示すように、鏡胴本体１０は、その固定筒１２の外周部に複数の位置決め用凹部１２Ｂを有する。各位置決め用凹部１２Ｂは、光軸Ｚに沿って延びる断面円弧状の溝で構成され、周方向に一定の間隔で配置される。
【０１１８】
一方、外装体１００は、その外装体ベース１１２の内周部（第１外装体ベース１１２Ａの内周部）に複数の位置決め用凸部１１２Ｃを有する。各位置決め用凸部１１２Ｃは、光軸に沿って延びる筋状の凸部で構成される。また、各位置決め用凸部１１２Ｃは、位置決め用凹部１２Ｂに対応した断面形状を有し、位置決め用凹部１２Ｂと同じ間隔で配置される。
【０１１９】
外装体１００を鏡胴本体１０に装着する際は、位置決め用凹部１２Ｂに位置決め用凸部１１２Ｃを嵌合させて装着する。これにより、外装体１００が周方向に位置決めされる。
【０１２０】
〈外装体の固定構造〉
鏡胴本体１０に装着された外装体１００は、外装体ベース固定用ねじ１５０及びリアカバー固定用ねじ１５２を用いて、外装体本体１１０に固定される。
【０１２１】
〔先端側の固定〕
図３に示すように、外装体１００は、その外装体ベース１１２の先端面（第１外装体ベース１１２Ａの先端面）の複数箇所に光軸Ｚに沿って外装体ベース固定用ねじ穴１５４を有する。各外装体ベース固定用ねじ穴１５４は、周方向に一定の間隔で備えられる（図１１参照）。
【０１２２】
一方、鏡胴本体１０は、その固定筒１２の先端部に備えられたフランジ部１２Ａの複数箇所に外装体固定用穴１５６を有する。各外装体固定用穴１５６は、外装体ベース固定用ねじ穴１５４と同じ間隔で配置される。
【０１２３】
外装体１００は、外装体固定用穴１５６に外装体ベース固定用ねじ１５０を通し、外装体ベース固定用ねじ穴１５４に螺合させることにより、その先端部が鏡胴本体１０に固定される。より具体的には、外装体１００を構成する外装体ベース１１２が鏡胴本体１０の固定筒１２に固定される。
【０１２４】
〔後端側の固定〕
図３に示すように、リアカバー１１４は、その外周面上に凹部１６０を有する。凹部１６０は、第１凹部及び第２凹部の一例であり、その底面には、リアカバー固定用穴１６２が備えられる。リアカバー固定用穴１６２は、貫通穴で構成され、光軸Ｚと直交して設けられる。
【０１２５】
一方、鏡胴本体１０には、その固定筒１２の外周部にリアカバー固定用ねじ穴１６４を有する。リアカバー固定用ねじ穴１６４は、光軸Ｚと直交して設けられる。
【０１２６】
リアカバー固定用穴１６２及びリアカバー固定用ねじ穴１６４は、外装体１００を鏡胴本体１０に位置決めして装着すると、同軸上に配置される。
【０１２７】
外装体１００は、リアカバー固定用穴１６２にリアカバー固定用ねじ１５２を通し、リアカバー固定用ねじ穴１６４に螺合させることにより、そのリアカバー１１４の部分が固定筒１２に固定される。リアカバー１１４を固定したリアカバー固定用ねじ１５２は、凹部１６０に収容される。リアカバー固定用ねじ１５２は、第１締結部材及び第２締結部材の一例である。
【０１２８】
凹部１６０は、リアカバー固定用ねじ１５２でリアカバー１１４を固定した後、その開口部が化粧板１６６で閉じられる。化粧板１６６は、凹部１６０の開口部に嵌合可能な板片で構成される。化粧板１６６は、接着剤により、リアカバー１１４に取り付けられる。化粧板１６６は、第１化粧部材及び第２化粧部材の一例である。化粧板１６６は、たとえば、銘板等として利用される。
【０１２９】
〈ズームリングとカム筒との連結構造〉
鏡胴本体１０に取り付けられた外装体１００は、ズームリング２の複数箇所に連結部材１７０が取り付けられ、その連結部材１７０によって、ズームリング２とカム筒１４とが連結される。
【０１３０】
図３に示すように、ズームリング２は、ズームリング本体２Ａと、そのズームリング本体２Ａの外周部に装着される筒状のズームリングカバー２Ｂと、で構成される。
【０１３１】
ズームリング本体２Ａは、円筒形状を有し、その外周部にズームリングカバー２Ｂを装着するためのカバー装着溝２ａを有する。カバー装着溝２ａには、複数の連結部材取付部１７２が備えられる。各連結部材取付部１７２は、凹部で構成され、周方向に一定の間隔で配置される。
【０１３２】
ズームリングカバー２Ｂは、円筒形状を有し、ゴム等の弾性体で構成される。ズームリングカバー２Ｂは、カバー装着溝２ａに嵌めることにより、ズームリング本体２Ａに装着される。
【０１３３】
連結部材１７０は、Ｌ字状に屈曲した板状片で構成され、ズームリング本体２Ａに取り付けるための取付部１７０Ａと、カム筒１４に連結するための連結部１７０Ｂと、を有する。連結部材１７０は、取付部１７０Ａを連結部材固定用ねじ１７４でズームリング本体２Ａに固定することにより、ズームリング本体２Ａに取り付けられる。ズームリング本体２Ａに取り付けられた連結部材１７０は、その連結部１７０Ｂが、光軸Ｚと直交して配置される。
【０１３４】
固定筒１２には、ズームリング２に取り付けられた連結部材１７０の連結部１７０Ｂを通すためのスリット１７６が備えられる。スリット１７６は、ズームリング２の可動範囲に対応する長さを有し、周方向に沿って配置される。
【０１３５】
カム筒１４には、連結部１７０Ｂの先端部が嵌合する嵌合部１７８が備えられる。ズームリング本体２Ａに取り付けられた連結部材１７０は、その連結部１７０Ｂの先端部が嵌合部１７８に嵌合する。これにより、連結部材１７０がカム筒１４と連結される。また、これにより、ズームリング２とカム筒１４とが連結される。
【０１３６】
ズームリングカバー２Ｂは、ズームリング本体２Ａに連結部材１７０を取り付けた後、ズームリング本体２Ａに装着される。ズームリングカバー２Ｂをズームリング本体２Ａに装着することにより、連結部材１７０がズームリングカバー２Ｂによって覆い隠される。
【０１３７】
［交換レンズの電気的構成］
図１２は、交換レンズの電気的構成を示すブロック図である。
【０１３８】
交換レンズ１は、第３レンズ群前群Ｇ３ａを駆動する第３レンズ群前群駆動部２１０、第３レンズ群前群Ｇ３ａの位置を検出する第３レンズ群前群位置検出部２１２、第４レンズ群Ｇ４を駆動する第４レンズ群駆動部２１４、第４レンズ群Ｇ４の位置を検出する第４レンズ群位置検出部２１６、絞りＳｔを駆動する絞り駆動部２１８、交換レンズ１内の温度を検出する温度検出部２２０、フォーカス操作を検出するフォーカス操作検出部２２２、ズーム操作を検出するズーム設定検出部２２４、絞り操作を検出する絞り設定検出部２２６及び交換レンズ１の全体の動作を統括制御するレンズ制御部２２８を備える。
【０１３９】
第３レンズ群前群駆動部２１０は、第１モータ５６、及び、その駆動回路を備える。第３レンズ群前群駆動部２１０は、レンズ制御部２２８からの指令に応じて、第１モータ５６を駆動し、第３レンズ群前群Ｇ３ａを光軸Ｚに沿って移動させる。
【０１４０】
第３レンズ群前群位置検出部２１２は、位置検出センサ（不図示）を備える。位置検出センサは、たとえば、ホール素子、磁気抵抗効果素子（Magneto Resistive Sensor）等の磁気センサで構成される。第３レンズ群前群位置検出部２１２は、第３レンズ群前群Ｇ３ａの位置を位置検出センサで検出し、その検出結果をレンズ制御部２２８に出力する。第３レンズ群前群Ｇ３ａの位置は、第３レンズ群後群Ｇ３ｂに対する位置であり、第３レンズ群後群保持枠２４Ｂ内での位置である。
【０１４１】
第４レンズ群駆動部２１４は、第２モータ５８、及び、その駆動回路を備える。第４レンズ群駆動部２１４は、レンズ制御部２２８からの指令に応じて、第２モータ５８を駆動し、第４レンズ群Ｇ４を光軸Ｚに沿って移動させる。
【０１４２】
第４レンズ群位置検出部２１６は、位置検出センサ（不図示）を備える。位置検出センサは、たとえば、ホール素子、磁気抵抗効果素子等の磁気センサで構成される。第４レンズ群位置検出部２１６は、第４レンズ群Ｇ４の位置を位置センサで検出し、その検出結果をレンズ制御部２２８に出力する。第４レンズ群Ｇ４の位置は、第４レンズ群保持枠２６内での位置である。
【０１４３】
絞り駆動部２１８は、絞りモータ、及び、その駆動回路を備える。絞りモータ（不図示）は、絞りユニット３０に備えられる。絞り駆動部２１８は、レンズ制御部２２８からの指令に応じて、絞りモータを駆動し、絞りＳｔを開閉させる。
【０１４４】
温度検出部２２０は、温度センサ（不図示）を備える。温度センサは、たとえば、絞りユニット３０に備えられる。温度検出部２２０は、温度センサで交換レンズ１内の温度を検出し、その検出結果をレンズ制御部２２８に出力する。
【０１４５】
フォーカス操作検出部２２２は、フォーカスリング３の回転操作量を検出し、その検出結果をレンズ制御部２２８に出力する。レンズ制御部２２８は、フォーカス操作検出部２２２からの出力に基づいて、フォーカスの操作量を検出する。
【０１４６】
ズーム設定検出部２２４は、ズームリング２の設定位置を検出し、その検出結果をレンズ制御部２２８に出力する。レンズ制御部２２８は、ズーム設定検出部２２４からの出力に基づいて、ズームの設定値（焦点距離）を検出する。
【０１４７】
絞り設定検出部２２６は、絞りリング４の設定位置を検出し、その検出結果をレンズ制御部２２８に出力する。レンズ制御部２２８は、絞り設定検出部２２６からの出力に基づいて、絞りの設定値（絞り値）を検出する。
【０１４８】
レンズ制御部２２８は、フォーカスリング３、ズームリング２及び絞りリング４の操作に基づいて、各部の動作を制御する。具体的には、マニュアルフォーカスに設定された場合に、フォーカスリング３の回転操作量に基づいて、第４レンズ群駆動部２１４を駆動し、第４レンズ群Ｇ４を移動させる。また、ズームリング２の設定に基づいて、第３レンズ群前群駆動部２１０及び第４レンズ群駆動部２１４を駆動し、第３レンズ群前群Ｇ３ａ及び第４レンズ群Ｇ４を所定位置に移動させる。更に、絞りリング４の設定に基づいて、絞り駆動部２１８を駆動し、絞りＳｔを所定の開口量（絞り値）に設定する。
【０１４９】
また、レンズ制御部２２８は、交換レンズ１が装着されたカメラからの指令に応じて、各部の動作を制御する。たとえば、カメラからのオートフォーカスの情報に基づいて、第４レンズ群駆動部２１４を駆動し、第４レンズ群Ｇ４を所定位置に移動させる。また、カメラからの絞りの設定情報に基づいて、絞り駆動部２１８を駆動し、絞りＳｔを所定の開口量に設定する。
【０１５０】
レンズ制御部２２８は、カメラのカメラ制御部２３０と通信し、カメラ制御部２３０から各部の駆動指令を受信する。また、ズームの設定情報、絞りの設定情報、フォーカスの位置情報等をカメラ制御部２３０に送信する。レンズ制御部２２８とカメラ制御部２３０との間の通信は、マウント１６に備えられた端子１６Ｂを介して行われる。
【０１５１】
また、レンズ制御部２２８は、温度検出部２２０で検出される温度に基づいて、第３レンズ群前群駆動部２１０を駆動し、第３レンズ群前群Ｇ３ａを所定位置に移動させる。
【０１５２】
レンズ制御部２２８は、たとえば、ＣＰＵ（CPU：Central Processing Unit）、ＲＯＭ（ROM：Read Only Memory）、ＲＡＭ（RAM：Random Access Memory）を備えたコンピュータで構成され、所定のプログラムを実行することにより、各種の制御機能等を実現する。
【０１５３】
［交換レンズの組み立て］
図１３は、交換レンズの分解図である。
【０１５４】
交換レンズ１の組み立ては、次の手順で行われる。
【０１５５】
まず、鏡胴本体１０にレンズ等を組み付ける。次に、レンズ等が組み付けられた鏡胴本体１０にマウント１６を取り付ける。マウント１６は、マウント固定用ねじ１８を用いて、固定筒１２に取り付けられる。
【０１５６】
次に、光軸Ｚの調整を行う。すなわち、光軸Ｚの調整機構は、外装体１００を取り外すことにより露出するので、外装体１００を取り付ける前に光軸Ｚの調整を行う。
【０１５７】
光軸Ｚの調整は、鏡胴本体１０を所定の検査装置にセットして行われる。すなわち、検査装置で光軸Ｚの状態を検査し、その検査結果に基づいて、第３レンズ群Ｇ３の位置を調整することにより行われる。第３レンズ群Ｇ３の位置の調整は、光軸調整ピン４４Ｘ、４４Ｙで行われる。すなわち、工具を用いて光軸調整ピン４４Ｘ、４４Ｙを回転させることにより行われる。光軸Ｚの調整は、マウント１６を取り付けた状態で行われる。
【０１５８】
次に、鏡胴本体１０に外装体１００を装着する。外装体１００は、あらかじめ外装体本体１１０にフォーカスリング３、ズームリング２及び絞りリング４を組み付けておく。なお、ズームリング２については、ズームリングカバー２Ｂを外した状態で組み付けておく。
【０１５９】
外装体１００は、鏡胴本体１０の後端側から装着する。すなわち、鏡胴本体１０の後端側から光軸Ｚに沿ってスライドさせて装着する。この際、位置決め用凹部１２Ｂに位置決め用凸部１１２Ｃが嵌合するように、位置を合わせて装着する。これにより、外装体１００が鏡胴本体１０に対して位置決めされて装着される。
【０１６０】
外装体１００が装着されることにより、鏡胴本体１０は、その外周部の全体が外装体１００に覆われる。特に、後端部については、外装体１００が装着されることにより、外装体１００の後端部の内周部分（リアカバー１１４の後端部の内周部分）にマウント１６のフランジ部１６Ｂが嵌合する。これにより、鏡胴本体１０と外装体１００との間の気密性が確保される。
【０１６１】
外装体１００を鏡胴本体１０に装着した後、外装体ベース固定用ねじ１５０及びリアカバー固定用ねじ１５２を用いて、外装体本体１１０を鏡胴本体１０に固定する。
【０１６２】
まず、外装体ベース固定用ねじ１５０を外装体固定用穴１５６に通し、外装体ベース固定用ねじ穴１５４に螺合させて、外装体ベース１１２を固定筒１２に固定する。次に、リアカバー固定用ねじ１５２をリアカバー固定用穴１６２に通し、リアカバー固定用ねじ穴１６４に螺合させて、リアカバー１１４を固定筒１２に固定する。これにより、外装体１００が、鏡胴本体１０に固定される。また、これにより、バヨネット構造で仮止めされていたリアカバー１１４が分離不能に固定される。更に、バヨネット構造で仮止めされていた絞りリング４も分離不能に装着される。
【０１６３】
外装体１００を固定したリアカバー固定用ねじ１５２は、凹部１６０内に収容される。リアカバー固定用ねじ１５２でリアカバー１１４を固定した後、凹部１６０に化粧板１６６を取り付け、開口部を遮蔽する。これにより、リアカバー固定用ねじ１５２が、化粧板１６６によって覆い隠される。化粧板１６６は、接着剤により、凹部１６０に取り付けられる。
【０１６４】
次に、ズームリング本体２Ａに連結部材１７０を取り付け、ズームリング本体２Ａとカム筒１４とを連結する。これにより、ズームリング２に連動して、カム筒１４が回転する。
【０１６５】
連結部材１７０をズームリング本体２Ａに取り付けた後、ズームリング本体２Ａにズームリングカバー２Ｂをを取り付ける。ズームリングカバー２Ｂを取り付けることにより、連結部材１７０が、ズームリングカバー２Ｂによって覆い隠される。
【０１６６】
以上の一連の工程で交換レンズ１が組み立てられる。交換レンズ１は、マウント１６を取り付けたまま光軸を調整でき、光軸の調整後も、マウント１６を取り付けた状態で外装体１００を装着できる。これにより、マウント１６の脱着に伴う光学性能の低下を防止できる。また、外装体１００については、一体物を鏡胴本体１０に取り付けるだけなので、簡単に組み立てることができる。また、外装体１００の組み立てについては、鏡胴本体１０の組み立てとは別工程で実施できるので、全体の組み立て作業を効率化できる。
【０１６７】
交換レンズ１を分解する場合は、組み立てと逆の手順で行われる。すなわち、まず、ズームリングカバー２Ｂを外し、連結部材１７０を外す。これにより、ズームリング本体２Ａとカム筒１４との連結が解除される。
【０１６８】
次に、化粧板１６６を外し、リアカバー固定用ねじ１５２を外す。また、外装体ベース固定用ねじ１５０を外す。これにより、鏡胴本体１０と外装体１００との連結が解除される。この状態で外装体１００を光軸Ｚに沿って後方（マウント１６側）にスライドさせる。これにより、外装体１００が取り外される。
【０１６９】
このように、本実施の形態の交換レンズ１によれば、マウント１６を鏡胴本体１０に取り付けたまま、外装体１００を脱着できる。これにより、マウント１６を取り付けたまま、光学調整等を行うことができる。また、分解して再度組み立てる場合も、マウント１６の位置調整等の必要がないので、容易に組み立てることができる。
【０１７０】
［変形例］
《外装体の固定構造の変形例》
〈第１変形例〉
図１４は、外装体の固定構造の第１変形例を示す断面図である。また、図１５は、図１４の１５−１５断面図である。
【０１７１】
本例の交換レンズは、リアカバー１１４を２箇所で固定する。このため、本例のリアカバー１１４には、第１固定部及び第２固定部が備えられる。
【０１７２】
〔第１固定部〕
図１４及び図１５に示すように、リアカバー１１４は、その外周面上に第１凹部２４０を有する。第１凹部２４０の底面には、第１のリアカバー固定用穴２４２が備えられる。第１のリアカバー固定用穴２４２は、貫通穴で構成され、光軸Ｚと直交して設けられる。
【０１７３】
一方、鏡胴本体１０は、その固定筒１２の外周部に第１のリアカバー固定用ねじ穴２４４を有する。第１のリアカバー固定用ねじ穴２４４は、光軸Ｚと直交して設けられる。
【０１７４】
第１のリアカバー固定用穴２４２及び第１のリアカバー固定用ねじ穴２４４は、外装体１００を鏡胴本体１０に位置決めして装着すると、同軸上に配置される。
【０１７５】
リアカバー１１４は、第１のリアカバー固定用穴２４２に第１のリアカバー固定用ねじ２４６を通し、第１のリアカバー固定用ねじ穴２４４に螺合させることにより、固定筒１２に固定される。リアカバー１１４を固定した第１のリアカバー固定用ねじ２４６は、第１凹部２４０に収容される。第１のリアカバー固定用ねじ２４６は、第１締結部材の一例である。
【０１７６】
第１凹部２４０は、第１のリアカバー固定用ねじ２４６でリアカバー１１４を固定した後、その開口部が第１化粧板２４８で閉じられる。化粧板２４８は、第１凹部２４０の開口部に嵌合可能な板片で構成される。第１化粧板２４８は、接着剤により、リアカバー１１４に取り付けられる。第１化粧板２４８は、第１化粧部材の一例である。
【０１７７】
〔第２固定部〕
図１４及び図１５に示すように、リアカバー１１４は、その外周面上に第２凹部２５０を有する。第２固定部は、第１固定部から周方向１８０°回転した位置に備えられる。したがって、第１固定部及び第２固定部は、光軸Ｚを挟んで対向する位置に配置される。
【０１７８】
第２凹部２５０の底面には、第２のリアカバー固定用穴２５２が備えられる。第２のリアカバー固定用穴２５２は、貫通穴で構成され、光軸Ｚと直交して設けられる。
【０１７９】
一方、鏡胴本体１０は、その固定筒１２の外周部に第２のリアカバー固定用ねじ穴２５４を有する。第２のリアカバー固定用ねじ穴２５４は、光軸Ｚと直交して設けられる。
【０１８０】
第２のリアカバー固定用穴２５２及び第２のリアカバー固定用ねじ穴２５４は、外装体１００を鏡胴本体１０に位置決めして装着すると、同軸上に配置される。
【０１８１】
リアカバー１１４は、第２のリアカバー固定用穴２５２に第２のリアカバー固定用ねじ２５６を通し、第２のリアカバー固定用ねじ穴２５４に螺合させることにより、固定筒１２に固定される。リアカバー１１４を固定した第２のリアカバー固定用ねじ２５６は、第２凹部２５０に収容される。第２のリアカバー固定用ねじ２５６は、第２締結部材の一例である。
【０１８２】
第２凹部２５０は、第２のリアカバー固定用ねじ２５６でリアカバー１１４を固定した後、その開口部が第２化粧板２５８で閉じられる。化粧板２５８は、第２凹部２５０の開口部に嵌合可能な板片で構成される。第２化粧板２５８は、接着剤により、リアカバー１１４に取り付けられる。第２化粧板２５８は、第２化粧部材の一例である。
【０１８３】
本例の交換レンズ１によれば、リアカバー１１４が２箇所で固定されるので、より外装体１００をより強固に固定できる。また、２つの固定部が、光軸Ｚを挟んで対称位置に配置されるので、安定して固定できる。
【０１８４】
〈第２変形例〉
図１６は、外装体の固定構造の第２変形例を示す断面図である。また、図１７は、図１６の１７−１７断面図である。また、図１８は、交換レンズの外観構成を示す側面図である。
【０１８５】
上記第１変形例と同様に、本例の交換レンズもリアカバー１１４を２箇所で固定する。一方、本例の交換レンズは、リアカバー１１４にダクト部が備えられ、そのダクト部に第１固定部が備えられる。なお、第２固定部の構成は、上記第１変形例と同じなので、ここでは、第１固定部の構成について説明する。
【０１８６】
〔第１固定部〕
上記のように、本例の交換レンズは、リアカバー１１４にダクト部が備えられ、そのダクト部に第１固定部が備えられる。ダクト部は、交換レンズ内の空気を給排気する機能を提供する。このダクト部で交換レンズ内の空気を給排気することにより、ズーム操作等によってレンズを移動させる際の抵抗を軽減させることができる。
【０１８７】
図１６、図１７及び図１８に示すように、リアカバー１１４は、その外周面上にダクト用凹部２６０を有する。ダクト用凹部２６０は、第１凹部の一例である。ダクト用凹部２６０には、そ底面の中央に第１のリアカバー固定用穴２４２が備えられる。第１のリアカバー固定用穴２４２は、貫通穴で構成され、光軸Ｚと直交して設けられる。
【０１８８】
一方、鏡胴本体１０は、その固定筒１２の外周部に第１のリアカバー固定用ねじ穴２４４を有する。第１のリアカバー固定用ねじ穴２４４は、光軸Ｚと直交して設けられる。
【０１８９】
第１のリアカバー固定用穴２４２及び第１のリアカバー固定用ねじ穴２４４は、外装体１００を鏡胴本体１０に位置決めして装着すると、同軸上に配置される。
【０１９０】
リアカバー１１４は、第１のリアカバー固定用穴２４２に第１のリアカバー固定用ねじ２４６を通し、第１のリアカバー固定用ねじ穴２４４に螺合させることにより、固定筒１２に固定される。リアカバー１１４を固定した第１のリアカバー固定用ねじ２４６は、ダクト用凹部２６０に収容される。第１のリアカバー固定用ねじ２４６は、第１締結部材の一例である。
【０１９１】
また、図１７及び図１８に示すように、ダクト用凹部２６０の底面には、第１のリアカバー固定用穴２４２を挟んで一対の通気口２７０が備えられる。通気口２７０は、貫通穴で構成され、フィルタ２７２が備えられる。通気口２７０は、通気部の一例である。交換レンズは、この通気口２７０を介して内部の空気が給排気される。
【０１９２】
ダクト用凹部２６０には、ダクトカバー２７４が取り付けられる。ダクトカバー２７４は、第１化粧部材の一例である。ダクトカバー２７４は、ダクトカバー固定用ねじ２７６によって、リアカバー１１４に着脱可能に取り付けられる。ダクト用凹部２６０に取り付けられたダクトカバー２７４は、ダクト用凹部２６０の開口部を通気可能な状態で閉じる。これにより、通気口２７０の通気が確保される。
【０１９３】
リアカバー１１４を固定した第１のリアカバー固定用ねじ２４６及び通気口２７０は、リアカバー１１４にダクトカバー２７４が取り付けられることにより、ダクトカバー２７４によって覆い隠される。
【０１９４】
本例の交換レンズ１によれば、ダクト部を備えることにより、レンズを移動させる際の抵抗を軽減できる。また、ダクト部とリアカバー１１４の固定部とを兼用することにより、構成を簡素化できる。
【０１９５】
〈第３変形例〉
図１９は、外装体の固定構造の第３変形例を示す断面図である。
【０１９６】
同図に示すように、本例の交換レンズは、第２化粧板２５８が、開閉可能な状態でリアカバー１１４に一体的に備えられる。また、その第２化粧板２５８を開閉する機構が備えられる。以下、この第２化粧板２５８の開閉機構について説明する。
【０１９７】
図２０は、開閉機構の概略構成を示す図である。
【０１９８】
図２０に示すように、第２化粧板２５８は、軸部２５８Ａを有し、その軸部２５８Ａが、リアカバー１１４に回転自在に支持される。第２化粧板２５８は、軸部２５８Ａを支点に揺動することで、第２凹部２５０の開口部を開閉する。
【０１９９】
第２化粧板２５８の裏面（第２化粧板２５８を閉じた際に内径側に位置する面）には、ロック爪２５８Ｂが備えられる。一方、第２凹部２５０内には、ロックピン２８０が備えられる。ロックピン２８０は、第２凹部２５０の内壁面に備えられたピン穴２８２から出没自在に設けられる。ピン穴２８２には、ピン付勢バネ２８４が内蔵される。ピン付勢バネ２８４は、ロックピン２８０を突出する方向に付勢する。第２化粧板２５８が閉じられると、ロック爪２５８Ｂがロックピン２８０に係合し、第２化粧板２５８がロックされる。ロック爪２５８Ｂ、ロックピン２８０及びピン付勢バネ２８４は、第２化粧板２５８をロックするロック機構の一例である。
【０２００】
ロックピン２８０には、ロック解除ワイヤー２８６の一端が接続される。ロック解除ワイヤー２８６は、リアカバー１１４に備えられたワイヤー通路２８８に沿って配置される。ワイヤー通路２８８は、ダクト用凹部２６０と第２凹部２５０とを繋ぐ通路として構成され、リアカバー１１４の周方向に沿って配置される。
【０２０１】
ロック解除ワイヤー２８６の他端は、ダクト用凹部２６０に備えられたロック解除ツマミ２９０に接続される。ロック解除ツマミ２９０は、ロック解除操作部材の一例である。ロック解除ツマミ２９０は、リング形状を有し、第１のリアカバー固定用穴２４２と同軸上に配置されて、ダクト用凹部２６０内に回転自在に保持される。また、ロック解除ツマミ２９０は、頂部にマイナス形状の溝２９０Ａを有し、その溝２９０Ａを利用して、マイナスドライバ等の工具で回転可能に構成される。
【０２０２】
ロック解除ツマミ２９０と回転させると、ロック解除ワイヤー２８６を介してロックピン２８０が引かれ、ロックピン２８０とロック爪２５８Ｂとの係合が解除される。これにより、第２化粧板２５８のロックが解除される。ロック解除ツマミ２９０及びロック解除ワイヤー２８６は、第２化粧板２５８のロックを解除するロック解除機構の一例である。
【０２０３】
本例の交換レンズにおいて、外装体１００の取り外しは、次の手順で行われる。
【０２０４】
まず、ズームリングカバー２Ｂを外し、連結部材１７０を外す。これにより、ズームリング本体２Ａとカム筒１４との連結が解除される。次に、ダクトカバー２７４を取り外し、第１のリアカバー固定用ねじ２４６を外す。次に、ダクト用凹部２６０に備えられたロック解除ツマミ２９０を回し、第２化粧板２５８のロックを解除する。次に、第２化粧板２５８を開き、第２のリアカバー固定用ねじ２５６を外す。これにより、鏡胴本体１０と外装体１００との連結が解除される。この状態で外装体１００を光軸Ｚに沿って後方にスライドさせる。これにより、外装体１００が取り外される。
【０２０５】
このように、本例の交換レンズによれば、第２化粧板２５８が、開閉可能な状態でリアカバー１１４に一体的に備えられる。これにより、分解のたびに第２化粧板２５８を交換する必要がなくなり、経済的な運用が可能になる。また、紛失等も防止できる。また、第２化粧板２５８のロック解除の操作を行う部材（ロック解除ツマミ２９０）が、ダクト用凹部２６０に備えられるため、不用意に第２化粧板２５８が開かれるのを防止できる。
【０２０６】
なお、本例では、第２化粧板２５８をロック機構でロックする構成としているが、第２化粧板２５８については、ねじ等で固定する構成としてもよい。
【０２０７】
また、第２化粧板２５８については、バネ等の付勢手段によって開く方向に付勢し、ロックを解除すると、自動的に開くように構成してもよい。
【０２０８】
《外装体の変形例》
上記実施の形態では、外装体１００に３つの操作リング（フォーカスリング３、ズームリング２及び絞りリング４）を備える場合を例に説明したが、少なくとも２つの操作リングが備えられていればよい。
【０２０９】
図２１は、操作リングを２つ備えた外装体の一例を示す側面断面図である。
【０２１０】
同図は、単焦点レンズの外装体の一例を示している。この場合、外装体本体１１０にフォーカスリング３及び絞りリング４が備えられる。
【０２１１】
また、同図に示すように、外装体本体１１０を構成する外装体ベース１１２は、１つのパーツで構成することもできる。
【０２１２】
また、外装体１００に備えられる操作リングの組み合わせは、交換レンズ１に備えられる機能に応じて適宜設定される。たとえば、上記のように、単焦点レンズの場合は、フォーカスリング及び絞りリングが備えられる。また、ズームレンズについては、ズームリング及びフォーカスリングのみを備えてもよい。この場合、絞りの設定はカメラ側で行う構成とされる。また、ズームレンズについては、ズームリング及び絞りリングのみを備えてもよい。この場合、オートフォーカスのみの設定とされる。更に、ズームレンズについては、フォーカスリング及び絞りリングのみを備えてもよい。この場合、ズームによるレンズの移動はモータで行われ、ズーム操作はカメラ側で行う構成とされる。
【０２１３】
《マウントの変形例》
上記実施の形態では、マウントをバヨネットマウントで構成しているが、マウントの種類は、これに限定されるものではない。装着する光学機器に応じたマウントが採用される。たとえば、ねじ込み式マウント、スピゴット式マウントなどを採用することができる。
【０２１４】
《交換レンズが装着される光学機器》
上記実施の形態では、カメラに装着される交換レンズに本発明を適用した場合を例に説明したが、本発明の適用は、これに限定されるものではない。顕微鏡等の光学機器に装着される交換レンズにも適用できる。
【０２１５】
また、レンズ交換式カメラの交換レンズに適用する場合において、カメラの種類は特に限定されるものではない。いわゆる、デジタルカメラ、銀塩カメラなどのスチルカメラの他、ビデオカメラ、テレビカメラ、シネカメラ等に使用される交換レンズにも同様に適用できる。
【符号の説明】
【０２１６】
１  交換レンズ
２  ズームリング
２Ａ  ズームリング本体
２Ｂ  ズームリングカバー
２ａ  カバー装着溝
３  フォーカスリング
４  絞りリング
１０  鏡胴本体
１２  固定筒
１２Ａ  固定筒のフランジ部
１２Ｂ  位置決め用凹部
１２Ｃ  第３レンズ群駆動用直進溝
１２Ｄ  マウント固定用ねじ穴
１２Ｘ  貫通穴
１２Ｙ  貫通穴
１４  カム筒
１４Ａ  第１レンズ群駆動用カム溝
１４Ｂ  第２レンズ群駆動用カム溝
１４Ｃ  第３レンズ群駆動用カム溝
１４Ｄ  第４レンズ群駆動用カム溝
１４Ｘ  貫通穴
１４Ｙ  貫通穴
１６  マウント
１６Ａ  マウントのフランジ部
１６Ｂ  端子
１６Ｃ  マウント固定用穴
１８  マウント固定用ねじ
２０  第１レンズ群保持枠
２２  第２レンズ群保持枠
２４  第３レンズ群保持枠
２４Ａ  第３レンズ群ベース保持枠
２４Ｂ  第３レンズ群後群保持枠
２４Ｃ  第３レンズ群前群保持枠
２６  第４レンズ群保持枠
２６Ａ  第４レンズ群ベース保持枠
２６Ｂ  第４レンズ群可動保持枠
２８  第５レンズ群保持枠
３０  絞りユニット
３２  第１レンズ群駆動用カムピン
３４  第２レンズ群駆動用カムピン
３６  第３レンズ群駆動用カムピン
３８  第４レンズ群駆動用カムピン
４０  保持ピン
４２  ピン穴
４４Ｘ  光軸調整ピン
４４Ｘａ  光軸調整ピンのフランジ部
４４Ｘｂ  光軸調整ピンのねじ部
４４Ｙ  光軸調整ピン
４４Ｙａ  光軸調整ピンのフランジ部
４４Ｙｂ  光軸調整ピンのねじ部
４６Ｘ  ねじ穴
４６Ｙ  ねじ穴
４８  主軸
５０  副軸
５２  主ガイド部
５４  副ガイド部
５６  第１モータ
５６Ａ  第１モータのマグネット
５６Ｂ  第１モータのインナーヨーク
５６Ｃ  第１モータのコイル
５６Ｄ  第１モータのアウターヨーク
５８  第２モータ
５８Ａ  第２モータのコイル
５８Ｂ  第２モータのマグネット
５８Ｃ  第２モータのインナーヨーク
５８Ｄ  第２モータのアウターヨーク
６０  第５レンズ群固定用ねじ
１００  外装体
１１０  外装体本体
１１２  外装体ベース
１１２Ａ  第１外装体ベース
１１２Ｂ  第２外装体ベース
１１２Ｃ  位置決め用凸部
１１４  リアカバー
１１６  スペーサ
１２０  絞りリング保持溝
１２０Ａ  縦溝
１２０Ｂ  横溝
１２０Ｃ  入口部
１２２  絞りリング保持爪
１３０  ベースプレート
１３０Ａ  凹部
１３２  回転ホイール
１３２Ａ  凹部
１３４  クリック用ボール
１３６  ボール付勢バネ
１４０  リアカバー保持溝
１４０Ｂ  横溝
１４２  リアカバー保持爪
１５０  外装体ベース固定用ねじ
１５２  リアカバー固定用ねじ
１５４  外装体ベース固定用ねじ穴
１５６  外装体固定用穴
１６０  凹部
１６２  リアカバー固定用穴
１６４  リアカバー固定用ねじ穴
１６６  化粧板
１７０  連結部材
１７０Ａ  連結部材の取付部
１７０Ｂ  連結部材の連結部
１７２  連結部材取付部
１７４  連結部材固定用ねじ
１７６  スリット
１７８  嵌合部
２１０  第３レンズ群前群駆動部
２１２  第３レンズ群前群位置検出部
２１４  第４レンズ群駆動部
２１６  第４レンズ群位置検出部
２１８  絞り駆動部
２２０  温度検出部
２２２  フォーカス操作検出部
２２４  ズーム設定検出部
２２６  絞り設定検出部
２２８  レンズ制御部
２３０  カメラ制御部
２４０  第１凹部
２４２  第１のリアカバー固定用穴
２４４  第１のリアカバー固定用ねじ穴
２４６  第１のリアカバー固定用ねじ
２４８  第１化粧板
２５０  第２凹部
２５２  第２のリアカバー固定用穴
２５４  第２のリアカバー固定用ねじ穴
２５６  第２のリアカバー固定用ねじ
２５８  第２化粧板
２５８Ａ  軸部
２５８Ｂ  ロック爪
２６０  ダクト用凹部
２７０  通気口
２７２  フィルタ
２７４  ダクトカバー
２７６  ダクトカバー固定用ねじ
２８０  ロックピン
２８２  ピン穴
２８４  ピン付勢バネ
２８６  ロック解除ワイヤー
２８８  ワイヤー通路
２９０  ロック解除ツマミ
２９０Ａ  溝
ＡＬ１  ズームによる第１レンズ群の移動軌跡
ＡＬ２  ズームによる第２レンズ群の移動軌跡
ＡＬ３  ズームによる第３レンズ群の移動軌跡
ＡＬ４  ズームによる第４レンズ群の移動軌跡
Ｇ１  第１レンズ群
Ｇ２  第２レンズ群
Ｇ３  第３レンズ群
Ｇ３ａ  第３レンズ群前群
Ｇ３ｂ  第３レンズ群後群
Ｇ４  第４レンズ群
Ｇ５  第５レンズ群
Ｓｉｍ  像面
Ｓｔ  絞り
Ｚ  光軸
【図１】
0006840902.tif 000002
【図２】
0006840902.tif 000003
【図３】
0006840902.tif 000004
【図４】
0006840902.tif 000005
【図５】
0006840902.tif 000006
【図６】
0006840902.tif 000007
【図７】
0006840902.tif 000008
【図８】
0006840902.tif 000009
【図９】
0006840902.tif 000010
【図１０】
0006840902.tif 000011
【図１１】
0006840902.tif 000012
【図１２】
0006840902.tif 000013
【図１３】
0006840902.tif 000014
【図１４】
0006840902.tif 000015
【図１５】
0006840902.tif 000016
【図１６】
0006840902.tif 000017
【図１７】
0006840902.tif 000018
【図１８】
0006840902.tif 000019
【図１９】
0006840902.tif 000020
【図２０】
0006840902.tif 000021
【図２１】
0006840902.tif 000022